(57)【要約】  【課題】  開状態となるモニタユニットによってパネルユニットの操作面や表示面が視認し難くなることを防止しつつ、排出されるディスクの取出しを容易に行ない得るモニタ付き車載機器を提供することである。  【解決手段】  外部筐体１０の上段部にて収納状態と開状態との間で動作可能となるモニタユニット３０と、外部筐体１０の下段部に収容されたディスクドライブメカユニット４０と、操作パネルユニット２０と、操作パネルユニット２０を、開状態となるモニタユニット３０の最前部位置Ｐopenより外部筐体１０の開口１０ａに近い第１の位置と該第１の位置より更に前方の第２の位置との間でスライド移動させるスライド機構（１１、１２ａ、１２ｂ、１３、１５）と、モニタユニット３０が開状態となるときに、操作パネルユニット２０を第１の位置と第２の位置との間でスライド移動させるように前記スライド機構を制御する制御手段６０とを有する構成となる。【選択図】  図６
2006199100.tif 000002
【特許請求の範囲】
【請求項１】
前方が開口する外部筐体と、
該外部筐体の上段部に水平に収納される収納状態と、前記外部筐体の開口前方に突出して表示面を前方に向けて立ち上がった開状態との間で動作可能となるモニタユニットと、  前記外部筐体の下段部に収容されたディスクドライブメカユニットと、
該ディスクドライブメカユニットの前方に配置され、ディスク挿入口の形成されたパネルユニットと、
該パネルユニットを、前記開状態となる前記モニタユニットの最前部位置より前記外部筐体の開口に近い第１の位置と該第１の位置より更に前方の第２の位置との間でスライド移動させるスライド機構と、
前記モニタユニットが開状態となるときに、前記パネルユニットを前記第１の位置と前記第２の位置との間でスライド移動させるように前記スライド機構を制御する制御手段とを有することを特徴とするモニタ付き車載機器。
【請求項２】
前記制御手段は、所定の第１の操作に基づいて前記パネルユニットを前記第１の位置から前記第２の位置までスライド移動させるようにスライド機構を制御することを特徴とする請求項１記載のモニタ付き車載機器。
【請求項３】
前記制御手段は、所定の第２の操作に基づいて前記パネルユニットを前記第２の位置から前記第１の位置までスライド移動させるようにスライド機構を制御することを特徴とする請求項１または２記載のモニタ付き車載機器。
【請求項４】
前記制御手段は、前記第２の操作として前記ディスクドライブメカユニットからディスクを排出するための操作がなされた際に、前記パネルユニットを前記第２の位置から前記第１の位置までスライド移動させるようにスライド機構を制御することを特徴とする請求項３記載のモニタ付き車載機器。
【請求項５】
前記制御手段は、前記ディスクドライブメカユニットからディスクの排出動作が開始される前に、前記パネルユニットを前記第２の位置から前記第１の位置までスライド移動させるようにスライド機構を制御することを特徴とする請求項４記載のモニタ付き車載機器。
【発明の詳細な説明】
【技術分野】
【０００１】
本発明は、車両に搭載され、情報記録媒体としてディスクを用いるオーディオ装置、ナビゲーション装置等のモニタ付き車載機器に関する。
【背景技術】
【０００２】
従来、車載テレビ等のモニタ付き車載機器が提案されている（例えば、特許文献１参照）。この従来のモニタ付き車載機器では、前方が開口する外部筐体の上段部にモニタ支持部材（スライド板）が前後方向にスライド可能に収納され、モニタユニットがその端部にてモニタ支持部材の先端部に回動可能に支持されている。そして、モニタユニットは、モニタ支持部材と共に水平状態にて前記外部筐体内に収納され（この状態を収納状態という）、また、モニタ支持部材がスライドしてその先端部が前記外部筐体の開口から突出した状態で表示面を前方に向けて立ち上がる（この状態を開状態という）。このように、モニタユニットは、前記収納状態と前記開状態との間で動作可能となっている。
【０００３】
また、操作パネルが前記外部筐体の下段部に前後方向にスライド可能に収容されている。前記モニタ支持部材の先端が前記操作パネルに係止しており、前記モニタ支持部材の外部筐体内でのスライド動作と共に前記操作パネルが外部筐体内でスライド動作するようになっている。そして、前記モニタ支持部材が前記外部筐体から進出して前記モニタユニットが開状態になる際に、前記モニタ支持部材のスライド移動と共に操作パネルがスライド移動して前記外部筐体の開口前方側に引き出される。また、前記モニタ支持部材が前記外部筐体内に後退して前記モニタユニットが収納状態になる際に、前記モニタ支持部材のスライド移動と共に前記操作パネルがスライド移動して前記外部筐体の内方側に戻される。
【０００４】
このようなモニタ付き車載機器では、モニタユニットが開状態となるときに、操作ユニットが外部筐体から引き出されて、その操作面とモニタユニットの最前部位置とが略揃うようにすることができる。このため、外部筐体の開口前方で立ち上がった状態となるモニタユニットの影になって外部筐体の下段部に位置する操作パネルの操作面が車両乗員から視認し難くなることを防止することができる。
【特許文献１】特開平２００１−１３０３３６号公報
【発明の開示】
【発明が解決しようとする課題】
【０００５】
しかしながら、前述したモニタ付き車載機器では、モニタユニットが外部筐体の開口前方でその表示面を前方に向けて立ち上がった状態（開状態）に保たれている際に、前記操作パネルの前後動を行なうことができない。このため、例えば、オーディオ装置等のように情報記録媒体としてディスクを用いるモニタ付き車載機器では、モニタユニットが開状態となる際に、ディスク挿入口が形成された操作パネルが外部筐体の開口前方に引き出されて当該開口から離れてしまうので、その離れた分、ディスク排出時に外部筐体内のディスクドライブメカユニットから所定量送り出されるディスクの前記操作パネルにおけるディスク挿入口からの突出量が少なくなる。このため、操作パネルのディスク挿入口からディスクを取出し難くなってしまう。
【０００６】
本発明は、前述した従来の問題を解決するためになされたもので、開状態となるモニタユニットによってパネルユニットの操作面や表示面が視認し難くなることを防止しつつ、排出されるディスクの取出しを容易に行ない得るモニタ付き車載機器を提供するものである。
【課題を解決するための手段】
【０００７】
本発明に係るモニタ付き車載ディスク装置は、前方が開口する外部筐体と、該外部筐体の上段部に水平に収納される収納状態と、前記外部筐体の開口前方に突出して表示面を前方に向けて立ち上がった開状態との間で動作可能となるモニタユニットと、前記外部筐体の下段部に収容されたディスクドライブメカユニットと、該ディスクドライブメカユニットの前方に配置され、ディスク挿入口の形成されたパネルユニットと、該パネルユニットを、前記開状態となる前記モニタユニットの最前部位置より前記外部筐体の開口に近い第１の位置と該第１の位置より更に前方の第２の位置との間でスライド移動させるスライド機構と、前記モニタユニットが開状態となるときに、前記パネルユニットを前記第１の位置と前記第２の位置との間でスライド移動させるように前記スライド機構を制御する制御手段とを有する構成となる。
【０００８】
このような構成により、モニタユニットが外部筐体の開口前方において表示面を前方に向けて立ち上がった開状態に保持されている際に、パネルユニットを前記モニタユニットの最前部位置より外部筐体の開口に近い第１の位置と該第１の位置より更に前方の第２の位置との間でスライド移動できるようになる。これにより、ディスクドライブメカユニットからディスクを排出する際に、パネルユニットをモニタユニットの最前部位置より外部筐体の開口に近い第１の位置に移動させて、当該パネルユニットを外部筐体に収容されるディスクドライブメカユニットにより近い状態にさせることができる。その結果、ディスクドライブメカユニットから一定の送り量にて排出されるディスクがパネルユニットのディスク挿入口から比較的大きな突出量をもって排出され得る。また、ディスクのローディングやその他の操作を行なう際には、パネルユニットを前記第１の位置より更に前方の第２の位置に移動させて、パネルユニットが開状態となるモニタユニットの影になることを極力防止することができる。
【０００９】
また、本発明に係るモニタ付き車載機器は、前記制御手段が、所定の第１の操作に基づいて前記パネルユニットを前記第１の位置から前記第２の位置までスライド移動させるようにスライド機構を制御する構成とすることができる。
【００１０】
このような構成により、車両乗員は、例えば、ディスク挿入口からのディスク挿入や他の操作を行なう際に第１の操作を行なうことにより、開状態となるモニタユニットの影になることを防止し得る第２の位置にパネルユニットを移動させることができる。
【００１１】
また、本発明に係るモニタ付き車載機器は、前記制御手段が、所定の第２の操作に基づいて前記パネルユニットを前記第２の位置から前記第１の位置までスライド移動させるようにスライド機構を制御する構成とすることができる。
【００１２】
このような構成により、車両乗員は、例えば、ディスクドライブメカユニットからディスクを排出する際に第２の操作を行なうことにより、パネルユニットを外部筐体に収容されるディスクドライブメカユニットにより近い状態となる第２の位置に移動させることができる。
【００１３】
更に、本発明に係るモニタ付き車載機器は、前記制御手段が、前記第２の操作として前記ディスクドライブメカユニットからディスクを排出するための操作がなされた際に、前記パネルユニットを前記第２の位置から前記第１の位置までスライド移動させるようにスライド機構を制御する構成とすることができる。
【００１４】
このような構成により、車両乗員は、ディスクドライブメカユニットからディスクを排出するための操作を行なうと、自動的に、パネルユニットを外部筐体に収容されるディスクドライブメカユニットにより近い状態となる第１の位置に移動させることができる。そして、前記操作に基づいてディスクドライブメカユニットから一定の送り量にて排出されるディスクがパネルユニットのディスク挿入口から比較的大きな突出量をもって排出され得る。
【００１５】
前記ディスクドライブメカユニットからディスクを排出するための操作がなされてから実際に前記ディスクドライブメカユニットからディスクが排出されるタイミングは任意に設定することができる。そのタイミングは、パネルユニットが第１の位置に移動する前であっても、後であっても、更に、同時であってもよい。
【００１６】
本発明に係るモニタ付き車載機器は、前記制御手段が、前記ディスクドライブメカユニットからディスクの排出動作が開始される前に、前記パネルユニットを前記第２の位置から前記第１の位置までスライド移動させるようにスライド機構を制御する構成とすることができる。
【００１７】
このような構成により、パネルユニットを外部筐体に収容されるディスクドライブメカユニットにより近い状態となる第１の位置に移動させた後に、ディスクドライブユニットからディスクが排出される。このため、パネルユニットがディスクドライブメカユニットにより近づいた状態で、当該ディスクドライブメカユニットからディスクが排出されるようになるので、パネルユニットに形成されたディスク挿入口のディスクドライブメカユニットに対向する側に特に充分な案内部を形成しなくても、ディスク挿入口からディスクを確実に排出できるようになる。
【発明の効果】
【００１８】
本発明に係るモニタ付き車載ディスク装置によれば、モニタユニットが外部筐体の開口前方において表示面を前方に向けて立ち上がった開状態に保持されている際に、パネルユニットをモニタユニットの最前部位置より外部筐体の開口に近い第１の位置、即ち、外部筐体に収容されたディスクドライブメカユニットにより近い位置に移動させて、ディスクドライブメカユニットから一定の送り量にて排出されるディスクがパネルユニットのディスク挿入口から比較的大きな突出量をもって排出され得、また、パネルユニットを前記第１の位置より更に前方の第２の位置、即ち、外部筐体の開口からより前方の位置に移動させて、パネルユニットが開状態となるモニタユニットの影になることを極力防止することができるようになる。これにより、開状態となるモニタユニットによってパネルユニットの操作面や表示面が視認し難くなることを防止しつつ、排出されるディスクの取出しを容易に行うことができるようになる。
【発明を実施するための最良の形態】
【００１９】
本発明の実施の形態について、図面を用いて説明する。
【００２０】
本発明に係るモニタ付き車載機器の操作パネルユニットが後退位置（第１の位置）にある状態での外観が図１に示される。また、この車載機器の操作パネルユニットが進出位置（第２の位置）にある状態での外観が図２に示される。このモニタ付き車載機器は、例えば、車両のインストルメントパネル内に収容設置されるインダッシュタイプのモニタ付きオーディオ装置であって、ＣＤ（コンパクトディスク）、ＤＶＤ（ディジタルバーサタイルディスク）等のディスクの再生等を行なう。
【００２１】
このモニタ付きオーディオ装置（以下、単に車載機器という）は、図１（ａ）乃至（ｄ）に示すように、前方が開口する外部筐体１０と、操作パネルユニット２０と、モニタユニット３０とを有する。モニタユニット３０は、図１（ｂ）、（ｃ）に示すように、外部筐体１０の上段部に前後方向にスライド可能に収容されるモニタ支持部材３１の先端部に回動自在に支持される。モニタ支持部材３１の外部筐体１０内での前後方向のスライド移動に伴って、モニタユニット３０は、外部筐体１０に水平に収納される収納状態（図１（ａ）参照）と、外部筐体１０の開口１０ａ前方に突出して表示面を前方に向けて立ち上がった開状態（図１（ｂ）、（ｃ）参照）との間で動作可能となる。このモニタユニット３０とモニタ支持部材３１との結合機構及びモニタ支持部材３１のスライド移動機構は、公知のものと同様となる。
【００２２】
操作パネルユニット２０は、外部筐体１０の下段部において前後方向にスライド可能となり、図１に示す状態では、開状態となるモニタユニット３０の最前部位置Ｐopen（図１（ｃ）参照）より外部筐体１０の開口１０ａに近い後退位置にある。モニタユニット３０が収納状態にある場合、図１（ａ）に示すように、後退位置にある操作パネルユニット２０の操作面とモニタユニット３０の最前部位置Ｐcloseとが略揃った状態となる。また、モニタユニット３０が開状態となる場合、図１（ｃ）に示すように、後退位置にある操作パネルユニット２０の操作面に形成されたディスク挿入口２１及び該操作面に設けられた操作キー群２２（図１（ｄ）参照）がモニタユニット３０の影になって、車両乗員にとってディスク挿入口２１及び操作キー群２２が視認し難い状態となる。
【００２３】
また、操作パネルユニット２０は、図２に示すように、前記後退位置から更に前方の進出位置にスライド移動可能となる。モニタユニット３０が開状態となる場合、図２（ａ）、（ｂ）に示すように、前進位置にある操作パネルユニット２０の操作面とモニタユニット３０の最前部位置Ｐopenとが略揃った状態となる。この場合、前進位置にある操作パネルユニット２０の操作面におけるディスク挿入口２１及び操作キー群２２（図２（ｃ）参照）がモニタユニット３０の影にならず、車両乗員にとってディスク挿入口２１及び操作キー群２２が視認し易い状態となる。
【００２４】
外部筐体１０内には、操作パネルユニット２０のスライド機構が設けられている。操作パネルユニット２０が後退位置（図１参照）にある場合におけるスライド機構の状態が図３及び図４に示され、操作パネルユニット２０が後退位置より更に前方の進出位置（図２参照）にある場合における当該スライド機構の状態が図５及び図６に示される。なお、図３乃至図６では、外部筐体１０がその上面が省かれた状態で示されており、更に、図３（ｂ）、図４、図５（ｂ）、図６では、外部筐体１０がその一方の側面が省かれた状態で示されている。
【００２５】
図３（ａ）に示すように、外部筐体１０の底面に沿って前後方向にスライド移動可能となるスライド板１１が設けられている。スライド板１１の両側端部には、図３（ａ）、（ｂ）に示すように、外部筐体１０の奥側に延びるスライド支持部１１１ａ、１１１ｂが形成されている。各スライド支持部１１１ａ、１１１ｂにはスリット１１２ａ、１１２ｂが形成され、外部筐体１０内の側端部の所定位置に立設されたピン１２ａ、１２ｂがスリット１１２ａ、１１２ｂに摺動自在に係合している。
【００２６】
一方のスライド支持部材１１１ｂの内側側面にはラック１１３が形成されている。外部筐体１０内のスライド支持部材１１１ｂ近傍にモータ１５が固定設置されている。モータ１５の回転軸に装着されたギアとラック１１３との間にギア列１３が配置され、モータ１５の駆動によるギア列１３の回転動がラック１３の水平動に変換されることにより、スライド板１１が前後方向にスライド移動するようになっている。
【００２７】
図４（ａ）に示すように、スライド板１１上に操作パネルユニット２０が固定設置されている。操作パネルユニット２０の後部側にはメカ収容切り欠き部２３が形成されており、図４（ｂ）に示すように、外部筐体１０の下段部に収容されたディスクドライブメカユニット４０の前方部位が、後退位置にある操作パネルユニット２０のメカ収容切り欠き部２３に嵌り込んだ状態となる。このように操作パネルユニット２０が後退位置にある場合、操作パネルユニット２０の操作面に形成されたディスク挿入口２１とディスクドライブメカユニット４０の前端面との距離が最小となり、ディスクドライブメカユニット４０から排出されるディスク５０はディスク挿入口２１からそのセンターホール５１が出現するまで突出し得る。ディスクドライブメカユニット４０内には、搬送ローラや該搬送ローラを回転駆動する搬送モータなどから構成される図示しないディスク搬送機構が搭載されており、このディスク搬送機構によって、ディスク挿入口２１に挿入されたディスク５０がディスクドライブメカユニット４０内方へローディングされ、また、ディスクドライブメカユニット４０からディスク挿入口２１へディスク５０が排出されるようになっている。
【００２８】
図５（ａ）、（ｂ）に示すように、モータ１５の駆動によって、スライド板１１が外部筐体１０の開口１０ａ前方に進出し得る。スライド板１１の前記進出動によって、操作パネルユニット２０が、前記後退位置から、図６（ａ）に示すように、更に前方の進出位置までスライド移動する。このとき、図６（ｂ）に示すように、操作パネルユニット２０のメカ収容切り欠き部２３に嵌り込んでいたディスクドライブメカユニット４０が相対的に操作パネルユニット２０の操作面から離れる。このように操作面とディスクドライブメカユニット４０とが相対的に離れても、ディスク挿入口２１から挿入されたディスク５０の先端部がディスクドライブメカユニット４０の前記ディスク搬送機構（図示略）に至るように搬送パネルユニット２０の進出量が設定されている。
【００２９】
操作パネルユニット２０の駆動制御系は、図７に示すように構成される。
【００３０】
図７において、モニタユニット３０が収納状態（図１（ａ）参照）及び開状態（図１（ｂ）乃至（ｄ）、図２参照）のいずれかにあるかを検出するモニタ状態センサ６１、操作パネルユニット２０に設けられた操作キー群２２のうちのディスク排出（EJECT）キー２２ａ、操作パネルユニット２０またはモニタユニット３０の適当な位置に設けられた進出ボタン６３が制御ユニット６０に接続されている。制御ユニット６０は、モニタ状態センサ６１からの検出信号、ディスク排出キー２２ａ及び進出ボタン６３からの操作信号に基づいて操作パネルユニット２０の駆動源となるモータ１５の駆動回路６２を制御する。
【００３１】
モニタユニット３０の駆動は、操作パネルユニット２０の駆動とは独立してなされる。例えば、モニタユニット３０が図１（ａ）に示すような収納状態となるときに、所定のオープン操作がなされると、外部筐体１０からモニタ支持部材３１の進出と共にモニタユニット３０が進出し、モニタユニット３０が外部筐体１０から完全に露出した状態で、モニタユニット３０が表示画面を前方に向けるように立ち上がりつつモニタ支持部材３１が後退動して、図１（ｂ）、（ｃ）に示すような開状態となる。この状態で、所定のクローズ操作がなされると、モニタユニット３０が前方側に倒れ込み、モニタユニット３０が表示面３０ａを下方にして略水平になった状態で、モニタ支持部材３１が後退動して、図１（ａ）に示すような格納状態に戻る。
【００３２】
前述したようなモニタユニット３０の駆動とは独立して、制御ユニット６０は、図８に示す手順に従って操作パネルユニット２０の動作制御を行なう。
【００３３】
図８において、制御ユニット６０は、進出ボタン６３からの操作信号の有無に基づいて操作パネルユニット２０の進出操作がなされたか否かを確認している（Ｓ１）。そして、制御ユニット６０は、進出ボタン６３からの操作信号が入力されると（Ｓ１でＹＥＳ）、モニタ状態センサ６１からの検出信号の状態に基づいてモニタユニット２０が開状態及び収納状態のいずれであるかを判定する（Ｓ２）。モニタユニット２０が開状態であると判定すると（Ｓ２でＹＥＳ）、制御ユニット６０は、後退位置にある操作パネルユニット２０を進出位置までスライド移動させるように駆動回路６２を制御する（Ｓ３）。その制御に基づいた駆動回路６２からの駆動信号によるモータ１５の回転動によって操作パネルユニット２０が進出位置までスライド移動する（図５及び図６参照）。
【００３４】
このようにして操作パネルユニット２０が進出位置に達すると、図９に示すように、操作パネルユニット２０の操作面が開状態となるモニタユニット３０の最前部位置Ｐopenに略揃った状態となる（図２も参照）。これにより、その操作面がモニタユニット３０の影にならず、車両乗員は、その操作面に形成されたディスク挿入口２１からディスク５０を容易に挿入することができ、また、その操作面に設けられた操作キー群２２の操作も容易に行なえるようになる。
【００３５】
制御ユニット６０は、前述した操作パネルユニット２０の進出位置まで移動させるための制御（Ｓ３）を実行した後、ディスク排出キー２２ａからの操作信号の有無に基づいてディスク５０の排出操作がなされた否かを確認している（Ｓ４）。この状態で、ディスク排出キー２２ａからの操作信号が入力されると（Ｓ４でＹＥＳ）、制御ユニット６０は、進出位置にある操作パネルユニット２０を後退位置までスライド移動させるように駆動回路６２を制御する。その制御に基づいた駆動回路６２からの駆動信号によるモータ１５の回転動によって操作パネルユニット２０が後退位置までスライド移動する（図３及び図４参照）。
【００３６】
このようにして操作パネルユニット２０が後退位置に達すると、図４（ｂ）に示すように、操作パネルユニット２０の操作面と外部筐体１０内に収容されたディスクドライブメカユニット４０の前端面との距離が最小となる。この状態で、制御ユニット６０は、更に、ディスクドライブメカユニット４０からディスク５０を排出させる制御を行なう（Ｓ６）。これにより、ディスクドライブメカユニット４０からディスク５０が排出される。この場合、操作パネルユニット２０の操作面とディスクドライブメカユニット４０の前端面との距離が最小となることから、ディスクドライブメカユニット４０から一定の送り量をもって排出されるディスク５０が、図１０に示すように、操作パネルユニット２０のディスク挿入口２１からそのセンターホール５１が出現する程度の比較的大きな突出量をもって排出される（図４（ｂ）も参照）。これにより、操作パネルユニット２０の操作面が開状態となるモニタユニット３０の影になったとしても、車両乗員は、ディスク挿入口２１から突出するディスク５０の先端に手のひらをあてがいつつセンターホール５１に指をかけてディスク５０を容易に取出すことができる。
【００３７】
なお、ディスク５０がディスク挿入口２１から引き抜かれたことを図示しないセンサによって検出した時点で、制御ユニット６０により操作パネル２０を後退位置からサイド前進位置まで自動的に移動させるようにしてもよい。これにより、別のディスクをディスク挿入口２１に挿入する際に、その挿入動作が容易となる。
【００３８】
以後、制御ユニット６０は、操作パネルユニット２０を進出させるための進出ボタン６３の操作がなされる毎に同様の処理を実行する。この例では、進出ボタン６３が操作されたときに（Ｓ１でＹＥＳ）モニタユニット３０が収納状態にある場合（Ｓ２でＮＯ）、制御ユニット６０は、以後の処理（Ｓ３乃至Ｓ６）を実行しない。このため、モニタユニット３０が収納状態にある場合には、進出ボタン６３が操作されても、操作パネルユニット２０は後退位置に維持されたままとなる。なお、操作パネルユニット２０のスライド機構（図３乃至図６参照）とモニタユニット３０のスライド機構とが独立しているので、進出ボタン６３が操作されたときに、モニタユニット３０が収納状態及び開状態のいずれであっても、操作パネルユニット２０を進出位置にスライド移動させるようにすることもできる。
【００３９】
操作パネルユニット２０の後退位置（第１の位置）は、収納状態となるモニタユニット３０の最全部位置Ｐcloseとの関係やディスクドライブメカユニット４０からのディスク５０の排出移動量等に基づいて決定することができる。また、操作パネルユニット２０の進出位置（第２の位置）は、モニタユニット３０が開状態となる場合における操作面の操作のし易さ、ディスク挿入口２１から挿入されるディスク５０の先端がディスクドライブメカユニット４０の適正な位置までとどくか否か等に基づいて決定することができる。従って、進出位置において、操作パネルユニット２０の操作面と開状態となるモニタユニット３０の最前部位置Ｐopenが必ずしも揃っていなくてもよい。
【００４０】
前述した例では、ディスク排出キー２２ａが操作されたときに、進出位置にある操作パネルユニット２０を後退位置まで移動させるようにしたが、他の操作、例えば、専用の操作ボタン等が操作されたときに、操作パネルユニット２０を後退位置まで移動させるようにすることもできる。また、前述した例では、進出位置にある操作パネルユニット２０を後退位置まで移動させた後に、ディスク５０の排出がなされるようにしたが、ディスク５０の排出がなされた後に操作パネルユニット２０を後退位置まで移動させても、また、ディスク５０の排出と操作パネルユニット２０の後退位置までの移動とを同時に行うようにすることもできる。ただし、操作パネルユニット２０が前進位置にある場合、図６（ｂ）に示すように、操作パネルユニット２０に形成されたディスク挿入口２１と外部筐体１０に収容されたディスクドライブメカユニット４０の前端面との距離が大きくなる。このため、この状態で、ディスク５０を排出させるよりも、操作パネルユニット２０を後退位置に移動させた後（図４（ｂ）参照）にディスク５０を排出させるほうが、操作パネルユニット２０におけるディスク挿入口２１のディスクドライブメカユニット４０に対向する側に特に充分な案内部を形成しなくても、ディスク挿入口２１から確実にディスク５０を排出できる点で好ましい。
【００４１】
また、前述した例では外部筐体１０の下段部に操作キー群２２を有する操作パネルユニット２０を設けたものを説明したが、操作パネルユニット２０に代えてディスク挿入口２１とＬＣＤ等の表示部とを有する表示パネルユニットをスライド可能に設けるようにしてもよい。
【産業上の利用可能性】
【００４２】
本発明に係るモニタ付き車載ディスク装置は、開状態となるモニタユニットによってパネルユニットの操作面や表示面が視認し難くなることを防止しつつ、排出されるディスクの取出しを容易に行なうことができるという効果を有し、情報記録媒体としてディスクを用いるオーディオ装置、ナビゲーション装置等のモニタ付き車載機器として有用である。
【図面の簡単な説明】
【００４３】
【図１】本発明の実施の一形態に係るモニタ付き車載機器の操作パネルユニットが後退位置にある状態での外観を示す図である。
【図２】本発明の実施の一形態に係るモニタ付き車載機器の操作パネルユニットが進出位置にある状態での外観を示す図である。
【図３】モニタ付き車載機器における操作パネルユニットのスライド機構を示す図（その１）である。
【図４】モニタ付き車載機器における操作パネルユニットのスライド機構を示す図（その２）である。
【図５】モニタ付き車載機器における操作パネルユニットのスライド機構を示す図（その３）である
【図６】モニタ付き車載機器における操作パネルユニットのスライド機構を示す図（その４）である
【図７】モニタ付き車載機器における操作パネルユニットの駆動制御系を示すブロック図である。
【図８】図７に示す制御ユニットの処理手順を示すフローチャートである。
【図９】進出位置にある操作パネルユニットにディスクが挿入された状態でのモニタ付き車載機器を示す図である。
【図１０】後退位置にある操作パネルユニットからディスクが排出された状態でのモニタ付き車載機器を示す図である。
【符号の説明】
【００４４】
１０  外部筐体
１０ａ  開口
１１  スライド板
１２ａ、１２ｂ  ピン
１３  ギア列
１５  モータ
２０  操作パネルユニット
２１  ディスク挿入口
２２  操作キー群
２２ａ  ディスク排出（EJECT）キー
２３  メカ収容切り欠き部
３０  モニタユニット
３１  モニタ支持部材
４０  ディスクドライブメカユニット
５０  ディスク
５１  センターホール
６０  制御ユニット
６１  モニタ状態センサ
６２  駆動回路
６３  進出ボタン
１１１ａ、１１１ｂ  スライド支持部
１１２ａ、１１２ｂ  スリット
１１３  ラック
【図１】
2006199100.tif 000003
【図２】
2006199100.tif 000004
【図３】
2006199100.tif 000005
【図４】
2006199100.tif 000006
【図５】
2006199100.tif 000007
【図６】
2006199100.tif 000008
【図７】
2006199100.tif 000009
【図８】
2006199100.tif 000010
【図９】
2006199100.tif 000011
【図１０】
2006199100.tif 000012